(57)【要約】【課題】蓄電池に電荷が残っている状態をできるだけ短くすることができ、蓄電池の劣化を効果的に抑制することができる充電制御装置及び蓄電システムを提供すること。【解決手段】充電制御装置２は、夜間時間帯において蓄電池３へ充電する。充電制御装置２は、蓄電池３における充電残量を検出する充電残量検出手段２１と、昼間時間帯に必要とされる要求充電残量から充電残量を差し引いた必要充電量を算出する必要充電量算出手段２２と、充電器４１及び蓄電池３の充電性能に基づいて、蓄電池３へ必要充電量を充電するのに要する時間を必要充電時間として算出する必要充電時間算出手段２３と、夜間時間帯内の充電完了目標時刻から必要充電時間を遡った時点から、充電器４１から蓄電池３への充電を開始する充電開始手段２４とを備えている。【選択図】図１
2010259163.tif 000002
【特許請求の範囲】
【請求項１】
充電器を制御して商用電源から蓄電池へ充電するよう構成した蓄電システムに用い、電気料金が夜間料金となる夜間時間帯において上記蓄電池へ充電し、電気料金が昼間料金となる昼間時間帯において上記蓄電池から負荷へ放電するよう構成した充電制御装置において、
上記蓄電池における充電残量Ｗｉを検出する充電残量検出手段と、
上記昼間時間帯に必要とされる要求充電残量Ｗｒから上記充電残量Ｗｉを差し引いた必要充電量Ｗｃを算出する必要充電量算出手段と、
上記充電器及び上記蓄電池の充電性能に基づいて、該蓄電池へ上記必要充電量Ｗｃを充電するのに要する時間を必要充電時間Ｔｃとして算出する必要充電時間算出手段と、
上記夜間時間帯内の充電完了目標時刻から上記必要充電時間Ｔｃを遡った時点から、上記充電器から上記蓄電池への充電を開始する充電開始手段とを備えていることを特徴とする充電制御装置。
【請求項２】
請求項１において、上記必要充電量算出手段は、上記蓄電池に生じた劣化度を考慮して上記必要充電量Ｗｃを算出するよう構成してあることを特徴とする充電制御装置。
【請求項３】
請求項２において、上記充電器から上記蓄電池へ充電する充電量Ｃを検出する充電量検出手段と、
該充電量検出手段によって検出した充電量Ｃが上記必要充電量に到達したとき、又は上記夜間時間帯が終了したとき、上記充電器から上記蓄電池への充電を終了する充電終了手段とを備えており、
上記必要充電量算出手段は、上記充電量Ｃと上記蓄電池における電圧との関係より、上記蓄電池に生じた劣化度を求め、該劣化度を考慮して上記必要充電量Ｗｃを算出するよう構成してあることを特徴とする充電制御装置。
【請求項４】
請求項３において、上記充電残量検出手段は、上記蓄電池における電圧を測定し、予め求めてある電圧と充電残量との関係マップに基づいて、上記充電残量Ｗｉを検出するよう構成してあり、
上記蓄電池からの放電終了後であって該蓄電池への充電開始前には、充電及び放電のいずれも行わない開始前時間帯が設けてあり、上記蓄電池への充電終了後であって該蓄電池からの放電開始前には、充電及び放電のいずれも行わない終了後時間帯が設けてあり、
上記開始前時間帯又は上記終了後時間帯の両方もしくはいずれか一方の時間帯において検出した上記蓄電池における電圧に基づいて、上記蓄電池における劣化度を算出するよう構成してあることを特徴とする充電制御装置。
【請求項５】
請求項４において、上記必要充電量算出手段は、上記充電残量検出手段によって、前回の上記開始前時間帯に測定した上記蓄電池の電圧を充電前電圧Ｖｉ1とし、上記充電残量検出手段によって、前回の上記終了後時間帯に測定した上記蓄電池の電圧を充電後電圧Ｖｅ1とし、上記充電量検出手段によって、前回の上記終了後時間帯に検出した上記蓄電池への充電量を充電電力量Ｃ1としたとき、上記関係マップに基づいて、上記充電前電圧Ｖｉ1から充電前充電残量Ｗｉ1を求めると共に、上記充電後電圧Ｖｅ1から充電後充電残量Ｗｅ1を求め、上記蓄電池における劣化度Ｋ1を、Ｋ1＝Ｃ1／（Ｗｅ1−Ｗｉ1）に基づいて算出し、
かつ、次回の充電を行う際の上記要求充電量ＷｒをＷｒ2、充電開始前の上記充電残量ＷｉをＷｉ2としたとき、次回の充電を行う際の上記必要充電量Ｗｃ2を、Ｗｃ2＝Ｗｒ2−Ｋ1×Ｗｉ2に基づいて算出するよう構成してあることを特徴とする充電制御装置。
【請求項６】
請求項１〜５のいずれか一項において、上記充電器から上記蓄電池へ流れる電流が一定になるよう、上記充電器から上記蓄電池へ印加する印加電圧を初期印加電圧から終期印加電圧まで増加させる定電流充電動作と、上記充電器から上記蓄電池へ印加する電圧を上記終期印加電圧に保って、上記充電器から上記蓄電池への電流値がほぼゼロになるまで、該蓄電池への充電を所定時間継続する定電圧充電動作とを行うよう構成してあり、
上記必要充電時間算出手段は、上記必要充電量をＷｃ、上記定電流充電動作における上記初期印加電圧をＶａ、上記定電流充電動作における上記終期印加電圧をＶｂ、上記定電流充電動作における上記一定の電流をＩ、上記定電圧充電動作における上記所定時間をＴｃｖとしたとき、上記必要充電時間Ｔｃを、Ｔｃ＝Ｗｃ／｛（Ｖａ＋Ｖｂ）／２×Ｉ｝＋Ｔｃｖに基づいて算出するよう構成してあることを特徴とする充電制御装置。
【請求項７】
蓄電池と、
商用電源における交流電圧を直流電圧に変換して上記蓄電池へ充電を行うよう構成した充電器と、
上記蓄電池における直流電圧を交流電圧に変換して上記負荷へ放電を行うよう構成したパワーコンディショナと、
上記充電器及び上記パワーコンディショナへ制御信号を出力する充放電制御装置とを備えており、
該充放電制御装置は、電気料金が夜間料金となる夜間時間帯において上記充電器を制御して上記蓄電池へ充電する充電制御動作と、電気料金が昼間料金となる昼間時間帯において上記パワーコンディショナを制御して上記蓄電池から上記負荷へ放電する放電制御動作とを行うよう構成してあり、
かつ、充電前の上記蓄電池における充電残量と、上記昼間時間帯において必要とされる上記蓄電池における必要充電残量との少なくとも一方の情報に基づいて、上記夜間時間帯において上記蓄電池への充電に要する必要充電時間Ｔｃを算出する必要充電時間算出手段と、
上記夜間時間帯内の充電完了目標時刻から上記必要充電時間Ｔｃを遡った時点から、上記蓄電池への充電を開始する充電開始手段とを備えていることを特徴とする蓄電システム。
【請求項８】
請求項７において、上記蓄電池における電圧を測定する電圧計を備えており、
上記充放電制御装置は、予め求めてある電圧と充電残量との関係マップに基づいて、上記電圧計によって測定した電圧から上記蓄電池における充電残量Ｗｉを検出する充電残量検出手段と、
上記昼間時間帯に必要とされる要求充電残量Ｗｒから上記充電残量Ｗｉを差し引いた必要充電量Ｗｃを算出する必要充電量算出手段とを備えており、
上記必要充電時間算出手段は、上記必要充電時間Ｔｃを、上記充電器及び上記蓄電池の充電性能に基づいて、該蓄電池へ上記必要充電量Ｗｃを充電するのに要する時間として算出するよう構成してあることを特徴とする蓄電システム。
【請求項９】
請求項７又は８において、上記蓄電池は、ヒートポンプ式給湯器における廃冷熱を利用して冷却するよう構成してあり、
上記夜間時間帯において、上記蓄電池へ充電を行う際には、上記夜間時間帯に上記商用電源から電力を受けて稼働する上記ヒートポンプ式給湯器における廃冷熱を利用して、上記蓄電池を冷却するよう構成したことを特徴とする蓄電システム。
【発明の詳細な説明】
【技術分野】
【０００１】
本発明は、商用電源から蓄電池へ充電する制御を行う充電制御装置及び蓄電システムに関する。
【背景技術】
【０００２】
家庭用の蓄電池は、商用電源における交流電圧を充電器によって直流電圧に変換し、この充電器を制御して充電が行われる。この家庭用の蓄電池は、電気料金が割安となる夜間時間帯に蓄電を行い、この蓄電を行った電力を昼間時間帯に使用するために用いられている。
例えば、特許文献１の電力貯蔵システムにおいては、夜間料金適用時間帯は商用電力から蓄電池に充電を行うとともに負荷に電力を供給する夜間運転モードと、デイタイムは、負荷の消費電力に応じて蓄電池からのみの電力供給を行う放電運転モードと、負荷の消費電力が所定の値以上のときは、その値までは蓄電池から電力供給し、不足分は商用電原から電力供給する系統補充運転モードの各モードを選択して、使用する電力の選択を行うことが開示されている。これにより、負荷から出力容量以上の電力要求があった場合でも、夜間電力の有効利用と、デイタイム電力の使用を抑制することができる。
【０００３】
また、例えば、特許文献２の鉛蓄電池の充放電方法においては、双方向コンバータ構成のパワーコンディショナを受電母線と鉛蓄電池との間に設け、コントローラは、蓄電池の通常の充電時には、蓄電池容量９０％以下にしてフル充電を無くし、適当な時期に一度フル充電することで蓄電池の早期劣化を防止している。これにより、蓄電池のサイクル寿命を高めると共に過放電防止を図ることができる。
【先行技術文献】
【特許文献】
【０００４】
【特許文献１】特許３８２７６７６号公報
【特許文献２】特開２００３−９４１８号公報
【発明の概要】
【発明が解決しようとする課題】
【０００５】
しかしながら、従来の蓄電池の制御装置においては、夜間料金適用時間帯に蓄電池の充電を行う際に、蓄電池の劣化を抑制する工夫はなされていない。特許文献２においては、フル充電を行う頻度を極めて少なくすることによって蓄電池の早期劣化を防止する工夫は行われているものの、恒常的な劣化の抑制を行う工夫は行われていない。
【０００６】
本発明は、かかる従来の問題点に鑑みてなされたもので、蓄電池に電荷が残っている状態をできるだけ短くすることができ、蓄電池の劣化を効果的に抑制することができる充電制御装置及び蓄電システムを提供しようとするものである。
【課題を解決するための手段】
【０００７】
第１の発明は、充電器を制御して商用電源から蓄電池へ充電するよう構成した蓄電システムに用い、電気料金が夜間料金となる夜間時間帯において上記蓄電池へ充電し、電気料金が昼間料金となる昼間時間帯において上記蓄電池から負荷へ放電するよう構成した充電制御装置において、
上記蓄電池における充電残量Ｗｉを検出する充電残量検出手段と、
上記昼間時間帯に必要とされる要求充電残量Ｗｒから上記充電残量Ｗｉを差し引いた必要充電量Ｗｃを算出する必要充電量算出手段と、
上記充電器及び上記蓄電池の充電性能に基づいて、該蓄電池へ上記必要充電量Ｗｃを充電するのに要する時間を必要充電時間Ｔｃとして算出する必要充電時間算出手段と、
上記夜間時間帯内の充電完了目標時刻から上記必要充電時間Ｔｃを遡った時点から、上記充電器から上記蓄電池への充電を開始する充電開始手段とを備えていることを特徴とする充電制御装置にある（請求項１）。
【０００８】
本発明の充電制御装置は、蓄電池の劣化を抑制するために、電気料金が割安となる夜間時間帯において蓄電池への充電を行う充電量及び時期に工夫を行っている。
具体的には、充電制御装置は、上記充電残量検出手段によって、蓄電池における充電残量Ｗｉを検出し、上記必要充電量算出手段によって、昼間時間帯に必要とされる要求充電残量Ｗｒから充電残量Ｗｉを差し引いた必要充電量Ｗｃを算出する。このとき、必要充電量Ｗｃは、若干余分をとった充電量として算出することができる。また、要求充電残量Ｗｒは、翌日（次の昼間時間帯）に必要とされる充電残量とすることができる。
【０００９】
次いで、充電制御装置は、上記必要充電時間算出手段によって、充電器及び蓄電池の充電性能に基づいて、蓄電池へ必要充電量Ｗｃを充電するのに要する時間を必要充電時間Ｔｃとして算出し、上記充電開始手段によって、夜間時間帯内の充電完了目標時刻から必要充電時間Ｔｃを遡った時点から、充電器から蓄電池への充電を開始することができる。
上記夜間時間帯内の充電完了目標時刻は、夜間時間帯の終りの近くに設定することができる。また、上記必要充電時間Ｔｃは、若干余分をとった時間として算出することができ、夜間時間帯が終了する（昼間時間帯が開始する）よりも少し前に、充電が終了するようにすることができる。
こうして、本発明においては、蓄電池において、昼間時間帯に必要なだけの充電残量を確保し、蓄電池が過剰に充電されることを避けることができる。また、夜間時間帯の終盤において充電が終わった後には、昼間時間帯において、直ちに蓄電池に蓄えた電荷を負荷に対して放電させることができる。
【００１０】
それ故、本発明の充電制御装置によれば、蓄電池に電荷が残っている状態をできるだけ短くすることができ、蓄電池の劣化を効果的に抑制することができる。
なお、上記蓄電池に充電した後の充電残量は、上記蓄電池の充電容量とほぼ同じにすることも可能である。この場合であっても、夜間時間帯において蓄電池へ充電を行う時期を、昼間時間帯として負荷へ放電を行う時期にできるだけ近くすることにより、蓄電池の劣化を効果的に抑制することができる。
【００１１】
第２の発明は、蓄電池と、
商用電源における交流電圧を直流電圧に変換して上記蓄電池へ充電を行うよう構成した充電器と、
上記蓄電池における直流電圧を交流電圧に変換して上記負荷へ放電を行うよう構成したパワーコンディショナと、
上記充電器及び上記パワーコンディショナへ制御信号を出力する充放電制御装置とを備えており、
該充放電制御装置は、電気料金が夜間料金となる夜間時間帯において上記充電器を制御して上記蓄電池へ充電する充電制御動作と、電気料金が昼間料金となる昼間時間帯において上記パワーコンディショナを制御して上記蓄電池から上記負荷へ放電する放電制御動作とを行うよう構成してあり、
かつ、充電前の上記蓄電池における充電残量と、上記昼間時間帯において必要とされる上記蓄電池における必要充電残量との少なくとも一方の情報に基づいて、上記夜間時間帯において上記蓄電池への充電に要する必要充電時間Ｔｃを算出する必要充電時間算出手段と、
上記夜間時間帯内の充電完了目標時刻から上記必要充電時間Ｔｃを遡った時点から、上記蓄電池への充電を開始する充電開始手段とを備えていることを特徴とする蓄電システムにある（請求項７）。
【００１２】
本発明の蓄電システムは、上記充放電制御装置を用いて、夜間時間帯における充電制御動作と、昼間時間帯における放電制御動作とを行うよう構成してある。本発明の充放電制御装置における必要充電時間算出手段は、充電前の蓄電池における充電残量と、昼間時間帯において必要とされる蓄電池における必要充電残量との少なくとも一方の情報に基づいて、夜間時間帯において蓄電池への充電に要する必要充電時間Ｔｃを算出する。また、充電開始手段による動作は、上記充電制御装置の発明と同様である。
これにより、本発明においても、蓄電池において、昼間時間帯に必要なだけの充電残量を確保し、蓄電池が過剰に充電されることを避けることができる。また、夜間時間帯の終盤において充電が終わった後には、昼間時間帯において、直ちに蓄電池に蓄えた電荷を負荷に対して放電させることができる。
それ故、本発明の蓄電システムによれば、蓄電池に電荷が残っている状態をできるだけ短くすることができ、蓄電池の劣化を効果的に抑制することができる。
【図面の簡単な説明】
【００１３】
【図１】実施例１における、充電制御装置を用いた蓄電システムの構成を示す説明図。
【図２】実施例１における、充電制御装置によって充電を行う時間を示す説明図。
【図３】実施例１における、電圧比と充電残量比との関係マップを概略的に示すグラフ。
【図４】実施例１における、ＳＯＣと電圧比及び充電電力量比との関係を概略的に示すグラフ。
【図５】実施例１における、横軸に時間をとり、縦軸に電流及び電圧をとって、蓄電池へ充電を行う際の電流及び電圧の変化の状態を示すグラフ。
【図６】実施例１における、充電制御装置の制御動作を示すフローチャート。
【図７】実施例２における、ヒートポンプ式給湯器に対して蓄電池を配置した状態を示す説明図。
【図８】実施例２における、他のヒートポンプ式給湯器に対して蓄電池を配置した状態を示す説明図。
【発明を実施するための形態】
【００１４】
上述した第１、第２の発明における好ましい実施の形態につき説明する。
第１の発明において、上記必要充電量算出手段は、上記蓄電池に生じた劣化度を考慮して上記必要充電量Ｗｃを算出するよう構成してあることが好ましい（請求項２）。
この場合には、蓄電池に生じた劣化を考慮して、上記必要充電量を算出することにより、蓄電池における充電残量の誤差を補正し、必要充電量Ｗｃをより正確に算出することができる。
また、蓄電池に生じた劣化度は、蓄電池の過去の使用実績（使用時間等）を元にして逐次更新することができる。
【００１５】
また、上記充電制御装置は、上記充電器から上記蓄電池へ充電する充電量Ｃを検出する充電量検出手段と、該充電量検出手段によって検出した充電量Ｃが上記必要充電量に到達したとき、又は上記夜間時間帯が終了したとき、上記充電器から上記蓄電池への充電を終了する充電終了手段とを備えており、上記必要充電量算出手段は、上記充電量Ｃと上記蓄電池における電圧との関係より、上記蓄電池に生じた劣化度を求め、該劣化度を考慮して上記必要充電量Ｗｃを算出するよう構成してあることが好ましい（請求項３）。
この場合には、充電量Ｃと蓄電池における電圧との関係に基づいて、蓄電池に生じた劣化度を求めて、蓄電池における充電残量の誤差を補正することができる。
【００１６】
また、上記充電残量検出手段は、上記蓄電池における電圧を測定し、予め求めてある電圧と充電残量との関係マップに基づいて、上記充電残量Ｗｉを検出するよう構成してあり、上記蓄電池からの放電終了後であって該蓄電池への充電開始前には、充電及び放電のいずれも行わない開始前時間帯が設けてあり、上記蓄電池への充電終了後であって該蓄電池からの放電開始前には、充電及び放電のいずれも行わない終了後時間帯が設けてあり、上記開始前時間帯又は上記終了後時間帯の両方もしくはいずれか一方の時間帯において測定した上記蓄電池における電圧に基づいて、上記蓄電池における劣化度を算出するよう構成してあることが好ましい（請求項４）。
この場合には、蓄電池における電圧と充電残量との関係マップを用いることにより、充電残量Ｗｉの検出が容易になる。また、蓄電池における充電又は放電を停止したときにその電圧を測定することにより、蓄電池における劣化度を算出する際の誤差を少なくすることができる。
【００１７】
また、上記必要充電量算出手段は、上記充電残量検出手段によって、前回の上記開始前時間帯に測定した上記蓄電池の電圧を充電前電圧Ｖｉ1とし、上記充電残量検出手段によって、前回の上記終了後時間帯に測定した上記蓄電池の電圧を充電後電圧Ｖｅ1とし、上記充電量検出手段によって、前回の上記終了後時間帯に検出した上記蓄電池への充電量を充電電力量Ｃ1としたとき、上記関係マップに基づいて、上記充電前電圧Ｖｉ1から充電前充電残量Ｗｉ1を求めると共に、上記充電後電圧Ｖｅ1から充電後充電残量Ｗｅ1を求め、上記蓄電池における劣化度Ｋ1を、Ｋ1＝Ｃ1／（Ｗｅ1−Ｗｉ1）に基づいて算出し、かつ、次回の充電を行う際の上記要求充電量ＷｒをＷｒ2、充電開始前の上記充電残量ＷｉをＷｉ2としたとき、次回の充電を行う際の上記必要充電量Ｗｃ2を、Ｗｃ2＝Ｗｒ2−Ｋ1×Ｗｉ2に基づいて算出するよう構成してあることが好ましい（請求項５）。
【００１８】
蓄電池に劣化が生じたときには、蓄電池における有効な充電可能容量が減少し、蓄電池の電圧の値によって関係マップに基づいて求める充電残量の値が、実際の充電残量の値に対して誤差を生じることになる（関係マップに基づいて求める充電残量の値が、実際の充電残量の値よりも高くなる）。
そこで、上記充電制御装置は、上記充電量検出手段によって充電器から実際に蓄電池へ充電した充電電力量Ｃ1を検出し、この検出した充電電力量Ｃ1と、充電前後における蓄電池の電圧から求めた想定充電量Ｗｅ1−Ｗｉ1（充電終了後の蓄電池の電圧Ｖｅ1から求めた充電終了後の充電残量Ｗｅ1と充電開始前の蓄電池の電圧Ｖｉ1から求めた充電開始前の充電残量Ｗｉ1との差分）との比率から、蓄電池における劣化度Ｋ1を求め、この劣化度Ｋ1を、次回の充電開始前の充電残量Ｗｉ2の補正係数として用いることにより、蓄電池に対して、必要充電量Ｗｃ2をより正確に算出することができる。
【００１９】
これにより、蓄電池に対して、より正確に要求充電量Ｗｒ2を充電することができる。
なお、充電後電圧Ｖｅ1は一時的に充電を中断したときに測定した電圧として、上記蓄電池の劣化度を算出することもできる。
また、充電前の充電残量Ｗｉは、前日の蓄電池における充電後の充電残量Ｗｅから、当日の昼間時間帯における放電量を差し引いて算出することもできる。
【００２０】
また、上記充電制御装置は、上記充電器から上記蓄電池へ流れる電流が一定になるよう、上記充電器から上記蓄電池へ印加する印加電圧を初期印加電圧から終期印加電圧まで増加させる定電流充電動作と、上記充電器から上記蓄電池へ印加する電圧を上記終期印加電圧に保って、上記充電器から上記蓄電池への電流値がほぼゼロになるまで、該蓄電池への充電を所定時間継続する定電圧充電動作とを行うよう構成してあり、上記必要充電時間算出手段は、上記必要充電量をＷｃ、上記定電流充電動作における上記初期印加電圧をＶａ、上記定電流充電動作における上記終期印加電圧をＶｂ、上記定電流充電動作における上記一定の電流をＩ、上記定電圧充電動作における上記所定時間をＴｃｖとしたとき、上記必要充電時間Ｔｃを、Ｔｃ＝Ｗｃ／｛（Ｖａ＋Ｖｂ）／２×Ｉ｝＋Ｔｃｖに基づいて算出するよう構成してあることが好ましい（請求項６）。
この場合には、実際に蓄電池へ充電を行う方式において、上記必要充電時間Ｔｃを容易に算出することができる。また、必要充電時間Ｔｃを算出する際には、必要充電量Ｗｃとして上記補正後のＷｃ2を用いることによって、より正確な必要充電時間Ｔｃを算出することができる。
【００２１】
また、第２の発明において、上記蓄電システムは、上記蓄電池における電圧を測定する電圧計を備えており、上記充電制御装置は、予め求めてある電圧と充電残量との関係マップに基づいて、上記電圧計によって測定した電圧から上記蓄電池における充電残量Ｗｉを検出する充電残量検出手段と、上記昼間時間帯に必要とされる要求充電残量Ｗｒから上記充電残量Ｗｉを差し引いた必要充電量Ｗｃを算出する必要充電量算出手段とを備えており、上記必要充電時間算出手段は、上記必要充電時間Ｔｃを、上記充電器及び上記蓄電池の充電性能に基づいて、該蓄電池へ上記必要充電量Ｗｃを充電するのに要する時間として算出するよう構成してあることが好ましい（請求項８）。
この場合には、必要充電量Ｗｃをより正確に算出することができる。
【００２２】
また、上記蓄電池は、ヒートポンプ式給湯器における廃冷熱を利用して冷却するよう構成してあり、上記夜間時間帯において、上記蓄電池へ充電を行う際には、上記夜間時間帯に上記商用電源から電力を受けて稼働する上記ヒートポンプ式給湯器における廃冷熱を利用して、上記蓄電池を冷却するよう構成することが好ましい（請求項９）。
この場合には、蓄電池に充電を行う夜間時間帯において、ヒートポンプ式給湯器における廃冷熱を利用して、蓄電池を冷却することができ、蓄電池のサイクル寿命を長くすることができる。
【実施例】
【００２３】
以下に、本発明の充電制御装置及び蓄電システムにかかる実施例につき、図面を参照して説明する。
（実施例１）
本例の充電制御装置（充放電制御装置）２は、図１、図２に示すごとく、充電器４１を制御して商用電源７から蓄電池３へ充電するよう構成した蓄電システム１に用い、電気料金が夜間料金となる夜間時間帯Ｂにおいて蓄電池３へ充電し、電気料金が昼間料金となる昼間時間帯Ａにおいて蓄電池３から負荷８へ放電するよう構成してある。充電制御装置２は、以下の充電残量検出手段２１、必要充電量算出手段２２、必要充電時間算出手段２３及び充電開始手段２４の各手段をコンピュータによって構成してなる。
【００２４】
充電残量検出手段２１は、蓄電池３における充電残量Ｗｉを検出するよう構成してある。必要充電量算出手段２２は、昼間時間帯Ａに必要とされる要求充電残量Ｗｒから充電残量Ｗｉを差し引いた必要充電量Ｗｃを算出するよう構成してある。必要充電時間算出手段２３は、充電器４１及び蓄電池３の充電性能に基づいて、蓄電池３へ必要充電量Ｗｃを充電するのに要する時間を必要充電時間Ｔｃとして算出するよう構成してある。充電開始手段２４は、夜間時間帯Ｂ内の充電完了目標時刻Ｂ２から必要充電時間Ｔｃを遡った時点Ｂ１から、充電器４１から蓄電池３への充電を開始するよう構成してある。
【００２５】
以下に、本例の充電制御装置２及び蓄電システム１につき、図１〜図６を参照して詳説する。
図１に示すごとく、本例の蓄電池３は、リチウムイオン電池である。このリチウムイオン電池は、電池に長時間電荷が残っていると電池の容量劣化が生じ、寿命を短くしてしまう性質を有している。商用電源７は、家庭用の１００Ｖ又は２００Ｖの交流電源（交流電灯線）であり、充電制御装置２及び蓄電システム１は、一般家庭において夜間電力の充電を可能にしたものである。
図２に示すごとく、昼間時間帯Ａと夜間時間帯Ｂは、電力会社における料金契約によって、電気料金が割安になる時間帯を夜間時間帯Ｂとし、残りを昼間時間帯Ａとすることができる。例えば、昼間時間帯Ａは、午前７時から午後１１時までとし、夜間時間帯Ｂは、午後１１時から午前７時までとすることができる。
【００２６】
同図に示すごとく、本例の充電制御装置２における制御時間の管理においては、蓄電池３からの放電終了後であって蓄電池３への充電開始前には、充電及び放電のいずれも行わない開始前時間帯Ｔ１が設けてあり、蓄電池３への充電終了後であって蓄電池３からの放電開始前には、充電及び放電のいずれも行わない終了後時間帯Ｔ２が設けてある。
そして、本例の夜間時間帯Ｂ内の充電完了目標時刻Ｂ２は、夜間時間帯Ｂの終りに近い所定の設定の時刻から終了後時間帯Ｔ２の長さを遡及した時刻とする。また、充電完了目標時刻Ｂ２は、夜間時間帯Ｂの終りから終了後時間帯Ｔ２の長さを遡及した時刻とすることもできる。
【００２７】
図１に示すごとく、本例の蓄電システム１は、蓄電池３と、蓄電池３における電圧を測定する電圧計３１と、商用電源７における交流電圧を直流電圧に変換して蓄電池３へ充電を行うよう構成した充電器４１と、蓄電池３における直流電圧を交流電圧に変換して負荷８へ放電を行うよう構成したパワーコンディショナ４２と、充電制御装置（充放電制御装置）２とを有している。
充電器４１と蓄電池３との間、パワーコンディショナ４２と蓄電池３との間には、充電器４１とパワーコンディショナ４２とのいずれを蓄電池３へ接続するかを切り替える切替スイッチ４３が設けてあり、充電器４１とパワーコンディショナ４２とが商用電源７及び負荷８に繋がる部分には、充電器４１とパワーコンディショナ４２とのいずれを商用電源７へ接続するかを切り替える切替スイッチ４４が設けてある。そして、充電制御装置２は、各切換スイッチ４３、４４を操作して、充電器４１を商用電源７及び蓄電池３に接続するか、パワーコンディショナ４２を負荷８及び蓄電池３に接続するかの切替えを行う。
【００２８】
充電制御装置２は、電圧計３１によって測定した電圧の入力を受けると共に、充電器４１及びパワーコンディショナ４２へ制御信号を出力するよう構成してある。また、充電制御装置２は、夜間時間帯Ｂにおいて充電器４１を制御して蓄電池３へ充電する充電制御動作と、昼間時間帯Ａにおいてパワーコンディショナ４２を制御して蓄電池３から負荷８へ放電する放電制御動作とを行うよう構成してある。
【００２９】
本例の充電制御装置２は、充電器４１から蓄電池３へ充電する充電量を検出する充電量検出手段２５と、充電量検出手段２５によって検出した充電量が必要充電量に到達したとき、又は夜間時間帯Ｂが終了したとき、充電器４１から蓄電池３への充電を終了する充電終了手段２６とを備えている。
また、充電制御装置２には、パワーコンディショナ４２による蓄電池３からの放電量を検出する放電量検出手段を設けることができる。そして、充電残量検出手段２１は、充電器４１による蓄電池３への充電量と、パワーコンディショナ４２による蓄電池３からの放電量とを考慮して、蓄電池３における充電残量を検出することができる。
【００３０】
図３は、横軸に、蓄電池３の電圧比Ｖ（％）（定格最大電圧（Ｖ）に対する実際の電圧（Ｖ）の比）をとり、縦軸に、充電残量比Ｗ（％）（初期充電可能容量（Ａｈ）に対する充電残量（Ａｈ）の比）をとり、電圧比Ｖと充電残量比Ｗとの関係マップＭを模式的に示すグラフである。この関係マップＭは、電圧と充電残量との関係として予め求めたものである。そして、本例の充電残量検出手段２１は、関係マップＭに基づいて、電圧計３１によって測定した電圧Ｖから蓄電池３における充電残量Ｗを検出するよう構成してある。電圧値と充電残量とは、大まかに比例した関係にあり、この関係マップＭは、蓄電池３の種類ごとに予め求めておく。
【００３１】
図４は、横軸に、ＳＯＣ（State of charge、充電残量比Ｗ）（％）（初期充電可能容量（Ａｈ）に対する充電残量（Ａｈ）の比）をとり、縦軸に、蓄電池３の電圧比Ｖ（％）（定格最大電圧（Ｖ）に対する実際の電圧（Ｖ）の比）、及び蓄電池３に実際に充電される充電電力量比Ｃ（％）（初期充電電力量（Ａｈ）に対する実際の充電電力量（Ａｈ）の比）をとり、ＳＯＣ（％）と電圧比Ｖ及び充電電力量比Ｗとの関係を模式的に示すグラフである。
ここで、蓄電池３に劣化が生じたときには、蓄電池３における有効な充電可能容量が減少し、蓄電池３の電圧Ｖの値によって関係マップＭに基づいて求める充電残量Ｗの値が、実際の充電残量Ｗの値に対して誤差を生じることになる（関係マップＭに基づいて求める充電残量Ｗの値が、実際の充電残量Ｗの値よりも高くなる）。
【００３２】
そこで、本例の充電制御装置２においては、蓄電池３に生じた劣化を考慮して、必要充電量Ｗｃを算出することにより、蓄電池３における充電開始前の充電残量Ｗｉの誤差を補正する。
そして、本例の必要充電量算出手段２２は、充電残量検出手段２１によって前回の開始前時間帯Ｔ１に測定した蓄電池３の電圧を充電前電圧Ｖｉ1とし、充電残量検出手段２１によって前回の終了後時間帯Ｔ２に測定した蓄電池３の電圧を充電後電圧Ｖｅ1とし、充電量検出手段２５によって前回の終了後時間帯Ｔ２に検出した蓄電池３への充電量を充電電力量Ｃ1としたとき、関係マップＭに基づいて、充電前電圧Ｖｉ1から充電前充電残量Ｗｉ1を求めると共に、充電後電圧Ｖｅ1から充電後充電残量Ｗｅ1を求め、蓄電池３における劣化度Ｋ1を、Ｋ1＝Ｃ1／（Ｗｅ1−Ｗｉ1）に基づいて算出する。
そして、必要充電量算出手段２２は、次回の充電を行う際の要求充電量ＷｒをＷｒ2、充電開始前の充電残量ＷｉをＷｉ2としたとき、次回の充電を行う際の必要充電量Ｗｃ2を、Ｗｃ2＝Ｗｒ2−Ｋ1×Ｗｉ2に基づいて算出する。
【００３３】
これにより、本例の充電制御装置２は、充電量検出手段２５によって充電器４１から実際に蓄電池３へ充電した充電電力量Ｃ1を検出し、この検出した充電電力量Ｃ1と、充電前後における蓄電池３の電圧から求めた想定充電量Ｗｅ1−Ｗｉ1（充電終了後の蓄電池３の電圧Ｖｅ1から求めた充電終了後の充電残量Ｗｅ1と充電開始前の蓄電池３の電圧Ｖｉ1から求めた充電開始前の充電残量Ｗｉ1との差分）との比率から、蓄電池３における劣化度Ｋ1を求め、この劣化度Ｋ1を、次回の充電開始前の充電残量Ｗｉ2の補正係数として用いることにより、蓄電池３に対して、必要充電量Ｗｃ2をより正確に算出することができる。そして、蓄電池３に対して、より正確に要求充電量Ｗｒ2を充電することができる。
充電量検出手段２５は、充電器４１に設けた充電計によって蓄電池３への充電量を検出するよう構成してある。
【００３４】
図５に示すごとく、本例の充電制御装置２は、充電器４１から蓄電池３へ流れる電流が一定になるよう、充電器４１から蓄電池３へ印加する印加電圧を初期印加電圧から終期印加電圧まで増加させる定電流充電動作と、充電器４１から蓄電池３へ印加する電圧を終期印加電圧に保って、充電器４１から蓄電池３への電流値がほぼゼロになるまで、蓄電池３への充電を所定時間継続する定電圧充電動作とを行うよう構成してある。
そして、必要充電時間算出手段２３は、必要充電量をＷｃ、定電流充電動作における初期印加電圧をＶａ、定電流充電動作における終期印加電圧をＶｂ、定電流充電動作における一定の電流をＩ、定電流充電動作を行う所定時間をＴｃｃ、定電圧充電動作を行う所定時間をＴｃｖとしたとき、必要充電時間Ｔｃを、Ｔｃ＝Ｔｃｃ＋Ｔｃｖ＝Ｗｃ／｛（Ｖａ＋Ｖｂ）／２×Ｉ｝＋Ｔｃｖに基づいて算出する。
【００３５】
次に、本例の充電制御装置２を用いて蓄電池３へ充電を行う動作を、図６のフローチャートを参照して説明する。
まず、充電制御装置２は、昼間時間帯Ａにおいて、時刻が夜間時間帯Ｂ（例えば午後１１時）になったか否かを判定し（図６のステップＳ１）、夜間時間帯Ｂになったときには、負荷８への放電を停止する（Ｓ２）。充電制御装置２は、切替スイッチ４３、４４を操作して、充電器４１を商用電源７及び蓄電池３に接続する。また、負荷８へは、商用電源７から電力が直接供給される。
次いで、開始前時間帯Ｔ１において、電圧計３１によって蓄電池３における電圧を充電前電圧Ｖｉ1として測定し、充電残量検出手段２１は、予め求めてある電圧Ｖと充電残量Ｗとの関係マップＭ（図３参照）に基づいて、充電前電圧Ｖｉ1から蓄電池３における充電前充電残量Ｗｉ1を求める（Ｓ３）。
次いで、必要充電量算出手段２２は、次の昼間時間帯Ａ（翌日の昼間時間帯Ａ）に必要とされる要求充電残量Ｗｒ1から充電前充電残量Ｗｉ1を差し引いた必要充電量Ｗｃ1を算出する（Ｓ４）。このとき、必要充電量Ｗｃ1は、若干余分をとった充電量として算出することができる。
【００３６】
次いで、必要充電時間算出手段２３は、充電器４１及び蓄電池３の充電性能に基づいて、蓄電池３へ必要充電量Ｗｃ1を充電するのに要する時間を必要充電時間Ｔｃ1として算出する（Ｓ５）。具体的には、必要充電時間Ｔｃ1を、Ｔｃ1＝Ｗｃ1／｛（Ｖａ＋Ｖｂ）／２×Ｉ｝＋Ｔｖに基づいて算出する。このとき、必要充電時間Ｔｃ1は、若干余分をとった時間として算出することができ、夜間時間帯Ｂ内の充電完了目標時刻Ｂ２よりも少し前に、充電が終了するようにすることができる。
次いで、時刻が、夜間時間帯Ｂ内の充電完了目標時刻Ｂ２から必要充電時間Ｔｃ1を遡った充電開始時刻Ｂ１（図２参照）になったか否かを判定し（Ｓ６）、時刻が充電開始時刻Ｂ１になったときには、充電開始手段２４は、充電器４１から蓄電池３への充電を開始する（Ｓ７）。
【００３７】
そして、蓄電池３へ充電を行う間は、充電量検出手段２５によって、充電器４１から蓄電池３へ充電する充電量Ｃを検出する（Ｓ８）。
次いで、充電量検出手段２５によって検出した充電量Ｃが必要充電量Ｗｃ1に到達したか否か（Ｓ９）、及び夜間時間帯Ｂが終了したか（午前７時になったか）否かを判定する（Ｓ１０）。そして、いずれか一方が満たされるまで、Ｓ８〜Ｓ１０を繰り返す。
次いで、充電量Ｃが必要充電量Ｗｃ1に到達したとき、又は夜間時間帯Ｂが終了したときには、充電終了手段２６によって、充電器４１から上記蓄電池３への充電を終了する（Ｓ１１）。このとき、充電量検出手段２５は、終了後時間帯Ｔ２において、充電器４１から蓄電池３へ充電した充電量Ｃを検出して充電電力量Ｃ1として記憶し、充電残量検出手段２１は、充電終了後の蓄電池３の電圧を測定して充電後電圧Ｖｅ1として記憶する（Ｓ１２）。
【００３８】
また、充電制御装置２は、関係マップＭに基づいて、上記充電前電圧Ｖｉ1から充電前充電残量Ｗｉ1を求めると共に、上記充電後電圧Ｖｅ1から充電後充電残量Ｗｅ1を求め（Ｓ１３）、これらと上記充電電力量Ｃ1とを用いて、蓄電池３における劣化度Ｋ1を、Ｋ1＝Ｃ1／（Ｗｅ1−Ｗｉ1）に基づいて算出する（Ｓ１４）。
その後、充電制御装置２は、切替スイッチ４３、４４を操作し、昼間時間帯Ａにおいては、蓄電池３に蓄えた電荷を、パワーコンディショナ４２によって直流電圧から交流電圧に変換して、負荷８へ放電する（Ｓ１５）。なお、負荷８へはパワーコンディショナ４２からの電力供給を主とするが、負荷８が増加した場合等には、商用電源７から負荷８への電力供給を兼用することもできる。
【００３９】
次いで、充電制御装置２は、再び昼間時間帯Ａにおいて、時刻が夜間時間帯Ｂ（例えば午後１１時）になったか否かを判定し（Ｓ１）、夜間時間帯Ｂになったときには、負荷８への放電を停止する（Ｓ２）。充電制御装置２は、切替スイッチ４３、４４を操作して、充電器４１を商用電源７及び蓄電池３に接続する。また、負荷８へは、商用電源７から電力が直接供給される。
次いで、開始前時間帯Ｔ１において、電圧計３１によって蓄電池３における電圧を充電前電圧Ｖｉ2として測定し、充電残量検出手段２１は、予め求めてある電圧Ｖと充電残量Ｗとの関係マップＭに基づいて、充電前電圧Ｖｉ2から蓄電池３における充電前充電残量Ｗｉ2を求める（Ｓ３）。
次いで、必要充電量算出手段２２は、次の昼間時間帯Ａ（翌日の昼間時間帯Ａ）に必要とされる要求充電残量Ｗｒ2と、充電前充電残量Ｗｉ2と、蓄電池３における劣化度Ｋ1とを用い、Ｗｃ2＝Ｗｒ2−Ｋ1×Ｗｉ2に基づいて、必要充電量Ｗｃ2を算出する（Ｓ４）。このとき、必要充電量Ｗｃ2は、若干余分をとった充電量として算出することができる。
【００４０】
次いで、必要充電時間算出手段２３は、充電器４１及び蓄電池３の充電性能に基づいて、蓄電池３へ必要充電量Ｗｃ1を充電するのに要する時間を必要充電時間Ｔｃ2として算出する（Ｓ５）。具体的には、必要充電時間Ｔｃ2を、Ｔｃ2＝Ｗｃ2／｛（Ｖａ＋Ｖｂ）／２×Ｉ｝＋Ｔｖに基づいて算出する。このとき、必要充電時間Ｔｃ2は、若干余分をとった時間として算出することができ、夜間時間帯Ｂ内の充電完了目標時刻Ｂ２よりも少し前に、充電が終了するようにすることができる。
次いで、時刻が、充電完了目標時刻Ｂ２から必要充電時間Ｔｃ2を遡った充電開始時刻Ｂ１になったか否かを判定し（Ｓ６）、時刻が充電開始時刻Ｂ１になったときには、充電開始手段２４は、充電器４１から蓄電池３への充電を開始する（Ｓ７）。
【００４１】
そして、蓄電池３へ充電を行う間は、充電量検出手段２５によって、充電器４１から蓄電池３へ充電する充電量Ｃを検出する（Ｓ８）。
次いで、充電量検出手段２５によって検出した充電量Ｃが必要充電量Ｗｃ2に到達したか否か（Ｓ９）、及び夜間時間帯Ｂが終了したか否か（Ｓ１０）を判定する。そして、いずれか一方が満たされるまで、Ｓ８〜Ｓ１０を繰り返す。
次いで、充電量Ｃが必要充電量Ｗｃ2に到達したとき、又は夜間時間帯Ｂが終了したときには、充電終了手段２６によって、充電器４１から上記蓄電池３への充電を終了する（Ｓ１１）。このとき、充電量検出手段２５は、終了後時間帯Ｔ２において、充電器４１から蓄電池３へ充電した充電量Ｃを検出して充電電力量Ｃ2として記憶し、充電残量検出手段２１は、充電終了後の蓄電池３の電圧を測定して充電後電圧Ｖｅ2として記憶する（Ｓ１２）。
【００４２】
また、充電制御装置２は、関係マップＭに基づいて、上記充電前電圧Ｖｉ2から充電前充電残量Ｗｉ2を求めると共に、上記充電後電圧Ｖｅ2から充電後充電残量Ｗｅ2を求め（Ｓ１３）、これらと上記充電電力量Ｃ2とを用いて、蓄電池３における劣化度Ｋ2を、Ｋ2＝Ｃ2／（Ｗｅ2−Ｗｉ2）に基づいて算出する（Ｓ１４）。
その後、充電制御装置２は、切替スイッチ４３、４４を操作し、昼間時間帯Ａにおいては、蓄電池３に蓄えた電荷を、パワーコンディショナ４２によって直流電圧から交流電圧に変換して、負荷８へ放電する（Ｓ１５）。
以後、上記と同様に、必要充電量Ｗｃ3を、Ｗｃ3＝Ｗｒ3−Ｋ2×Ｗｉ3に基づいて算出することができ、夜間時間帯Ｂにおける蓄電池３への充電と昼間時間帯Ａにおける負荷８への放電とを繰り返すことができる。
【００４３】
本例の充電制御装置２及び蓄電システム１は、蓄電池３の劣化を抑制するために、電気料金が割安となる夜間時間帯Ｂにおいて蓄電池３への充電を行う充電量及び時期に工夫を行っている。
本例の充電制御装置２及び蓄電システム１においては、蓄電池３において、昼間時間帯Ａに必要なだけの充電残量を確保し、蓄電池３が過剰に充電されることを避けることができる。また、夜間時間帯Ｂの終盤において充電が終わった後には、昼間時間帯Ａにおいて、直ちに蓄電池３に蓄えた電荷を負荷８に対して放電させることができる。
【００４４】
それ故、本例の充電制御装置２及び蓄電システム１によれば、蓄電池３に電荷が残っている状態をできるだけ短くすることができ、蓄電池３の劣化を効果的に抑制することができる。
なお、蓄電池３に充電した後の充電残量は、蓄電池３の充電容量とほぼ同じにすることも可能である。この場合であっても、夜間時間帯Ｂにおいて蓄電池３へ充電を行う時期を、昼間時間帯Ａとして負荷８へ放電を行う時期にできるだけ近くすることにより、蓄電池３の劣化を効果的に抑制することができる。
【００４５】
（シミュレーション）
本シミュレーションにおいては、蓄電池３の劣化による充電可能容量の減少を補正して、蓄電池３に充電が必要な必要充電量Ｗｃを算出する具体例を示す。
図３において、蓄電池３の定格最大電圧は１００（Ｖ）で、初期充電可能容量は１０（Ａｈ）であるとする。そして、蓄電池３が劣化する前の状態（初期状態）（同図において実線で示す。）と、劣化した後の状態（同図において破線で示す。）について、要求充電残量Ｗｒ2を算出する具体例を表１に示す。
【００４６】
【表１】
2010259163.tif 000003
【００４７】
同表において、蓄電池３が劣化する前の状態（初期状態）においては、測定した充電前電圧Ｖｉ1＝８０（Ｖ）から関係マップＭに基づいて求めた充電前充電残量Ｗｉ1が１．６（Ａｈ）、測定した充電後電圧Ｖｅ1＝９２（Ｖ）から求めた充電後充電残量Ｗｅ1が５．２（Ａｈ）で、検出した充電電力量Ｃ1が３．６（Ａｈ）であったとき、蓄電池３の劣化度Ｋ1は、Ｋ1＝Ｃ1／（Ｗｅ1−Ｗｉ1）＝３．６／（５．２−１．６）＝１である。そして、昼間時間帯Ａに必要とされる要求充電残量Ｗｒ2が５．２（Ａｈ）であるときには、蓄電池３に必要な必要充電残量Ｗｃ2は、Ｗｃ2＝Ｗｒ2−Ｋ1×Ｗｉ2＝５．２−１×１．６＝３．６（Ａｈ）と算出され、充電器４１が３．６（Ａｈ）の充電電力量Ｃ2を蓄電池３へ充電することにより、蓄電池３には、５．２（Ａｈ）の要求充電残量Ｗｒ2が確保される。
【００４８】
一方、蓄電池３が劣化した後の状態においては、測定した充電前電圧Ｖｉ1＝８０（Ｖ）から関係マップＭに基づいて求めた充電前充電残量Ｗｉ1が１．６（Ａｈ）、測定した充電後電圧Ｖｅ1＝９４（Ｖ）から求めた充電後充電残量Ｗｅ1が６．４（Ａｈ）で、検出した充電電力量Ｃ1が３．６（Ａｈ）であったとき、蓄電池３の劣化度Ｋ1は、Ｋ1＝Ｃ1／（Ｗｅ1−Ｗｉ1）＝３．６／（６．４−１．６）＝０．７５である。そして、昼間時間帯Ａに必要とされる要求充電残量Ｗｒ2が５．２（Ａｈ）であるときには、蓄電池３に必要な必要充電残量Ｗｃ2は、Ｗｃ2＝Ｗｒ2−Ｋ1×Ｗｉ2＝５．２−０．７５×１．６＝４．０（Ａｈ）と算出され、充電器４１が４．０（Ａｈ）の充電電力量Ｃ2を蓄電池３へ充電することにより、蓄電池３には、５．２（Ａｈ）の要求充電残量Ｗｒ2が確保される。
このように、上記蓄電池３の劣化による充電可能容量の減少を考慮して、蓄電池３へ充電する必要充電残量Ｗｃ2を算出することにより、蓄電池３に対して、より正確に要求充電量Ｗｒ2を充電できることがわかる。
【００４９】
（実施例２）
本例は、夜間時間帯Ｂに商用電源７から電力を受けて稼働するヒートポンプ式給湯器５における廃冷熱を利用して、蓄電池３を冷却するよう構成した例である。
図７に示すごとく、ヒートポンプ式給湯器５は、ヒートポンプ５１、貯湯タンク５２、湯水循環パイプ５３、及び当該ヒートポンプ式給湯器５が夜間時間帯Ｂに稼働するよう制御する制御コントローラ５４を用いて構成されている。また、ヒートポンプ式給湯器５は、貯湯タンク５２内に流入させる水Ｙ１を、水循環ポンプ５１１によって湯水循環パイプ５３内に循環させ、この湯水循環パイプ５３によって加熱するよう構成されている。
【００５０】
ヒートポンプ式給湯器５においては、大気から蒸発器５１２を介してヒートポンプ内部を循環する冷媒Ｘへ熱を加え、熱をもった冷媒Ｘをコンプレッサー５１３によってさらに高温にする。そして、この高温になった冷媒Ｘの熱を水熱交換器５１４によってタンク５２から循環される水Ｙ１に伝達し、水Ｙ１を温水Ｙ２にしてタンク５２へ循環させる。また、水Ｙ１によって冷やされた冷媒Ｘは、膨張弁５１５を経て再び蒸発器５１２にて大気から熱が加えられる。また、蒸発器５１２の鉛直方向下方には、ヒートパイプ５１６が配置されている。
【００５１】
本例の蓄電池３は、ヒートパイプ５１６の冷却側に配置してある。蓄電池３は、蒸発器５１２に対してヒートパイプ５１６を介して熱的に接続されており、蒸発器５１２において冷媒Ｘが蒸発する際に熱が奪われるようにしておく。蓄電池３は、蒸発器５１２と接触させておくことができ、また、蒸発器５１２と接触していなくても、蒸発器５１２を通過して温度の低下した外気と接触するようにすることができる。また、蓄電池３を断熱材３２によって覆っておくことにより、蓄電池３が冷却された状態を長く維持することができる。
また、図８に示すごとく、蓄電池３は、膨張弁５１５に対する下流側に冷媒Ｘのバイパス管５１７を設け、このバイパス管５１７によって蓄電池３を冷却するようにしてもよい。更には、図示は省略するが、蓄電池３は、蒸発器５１２によって冷却された冷媒（ブライン等）Ｘを循環させる循環路に対して設置することもできる。
【００５２】
ところで、蓄電池３のサイクル寿命は、蓄電池３の温度に反比例し、蓄電池３の温度が高くなると、サイクル寿命が短くなることが知られている。そこで、本例においては、充電制御装置２によって、夜間時間帯Ｂにおいて蓄電池３へ充電を行う際には、夜間時間帯Ｂに稼働するヒートポンプ式給湯器５における廃冷熱を利用して、蓄電池３を冷却することができる。これにより、充電を行う蓄電池３を冷却することができ、蓄電池３のサイクル寿命を長くすることができる。
本例においても、その他の構成は上記実施例１と同様であり、上記実施例１と同様の作用効果を得ることができる。
【符号の説明】
【００５３】
１  蓄電システム
２  充電制御装置
３  蓄電池
３１  電圧計
４１  充電器
４２  パワーコンディショナ
５  ヒートポンプ式給湯器
７  商用電源
８  負荷
Ｗｉ  充電残量
Ｗｒ  要求充電残量
Ｗｃ  必要充電量
Ｔｃ  必要充電時間
【図１】
2010259163.tif 000004
【図２】
2010259163.tif 000005
【図３】
2010259163.tif 000006
【図４】
2010259163.tif 000007
【図５】
2010259163.tif 000008
【図６】
2010259163.tif 000009
【図７】
2010259163.tif 000010
【図８】
2010259163.tif 000011